【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
駆動電流を供給されて第１レーザ光を出射する第１出射部を備える発光部材と、
前記第１レーザ光が照射される感光体と、
前記感光体の表面電位に関する値を検出する検出部と、
前記発光部材の異常を判定する判定部と、
前記感光体に電圧を印加する電圧印加部と、
前記検出部により検出された前記第１レーザ光が照射された前記感光体の表面電位に関する値が第１所定範囲外の値であって、前記検出部により検出された前記電圧印加部により電圧が印加された前記感光体の表面電位に関する値が第２所定範囲外の値である場合、前記電圧印加部が異常状態であると報知し、
前記検出部により検出された前記第１レーザ光が照射された前記感光体の表面電位に関する値が前記第１所定範囲外の値であって、前記検出部により検出された前記電圧印加部により電圧が印加された前記感光体の表面電位に関する値が前記第２所定範囲内の値であって、前記判定部が前記発光部材は異常状態であると判定しない場合、前記発光部材以外の光学部品が異常状態であると報知し、
前記検出部により検出された前記第１レーザ光が照射された前記感光体の表面電位に関する値が前記第１所定範囲外の値であって、前記検出部により検出された前記電圧印加部により電圧が印加された前記感光体の表面電位に関する値が前記第２所定範囲内の値であり、前記判定部が前記発光部材は異常状態であると判定する場合、前記発光部材が異常状態であると報知する報知部と、
を有し、
前記検出部は、前記感光体の前記第１レーザ光が照射された部分の表面電位に関する値を複数回検出し、前記判定部は、前記検出部で検出した前記表面電位に関する値の変化量に基づいて前記発光部材が異常状態であるかを判定することを特徴とする画像形成装置。
【請求項２】
前記発光部材は、前記駆動電流と共通の駆動電流を供給されて第２レーザ光を出射する第２出射部を備え、
前記第２レーザ光を受光する受光部と、
前記受光部が受光した前記第２レーザ光の光量に基づいて、前記感光体に照射される前記第１レーザ光の光量を制御する光量制御部と、
を有し、
前記判定部は、前記変化量が正か負かに基づいて、前記第１出射部が異常状態であるか、前記第２出射部が異常状態であるかを判定することを特徴とする請求項１に記載の画像形成装置。
【請求項３】
前記判定部は、前記変化量の絶対値が所定値以上である場合、前記発光部材が異常状態であると判定することを特徴とする請求項１に記載の画像形成装置。
【請求項４】
前記判定部は、
前記変化量の絶対値が、前記所定値以上であって、前記変化量が負の場合に前記第１出射部が異常状態であると判定し、前記変化量の絶対値が、前記所定値以上であって、前記変化量が正の場合に前記第２出射部が異常状態であると判定することを特徴とする請求項２に記載の画像形成装置。
【請求項５】
前記検出部は、前記電圧印加部により前記感光体に電圧が印加されたときに流れる電流の電流値に基づいて前記感光体の放電開始電圧を算出し、算出した前記放電開始電圧に基づいて前記感光体の表面電位を検出することを特徴とする請求項１又は２に記載の画像形成装置。
【請求項６】
前記検出部は、前記感光体の前記第１レーザ光が照射された部分の表面電位に関する値を検出した後、所定枚数の画像が形成された後に再度、前記感光体の前記第１レーザ光が照射された部分の表面電位に関する値を検出することを特徴とする請求項５に記載の画像形成装置。
【請求項７】
前記検出部は、前記感光体の前記第１レーザ光が照射された部分の表面電位に関する値を検出した後、所定時間が経過した後に再度、前記感光体の前記第１レーザ光が照射された部分の表面電位に関する値を検出することを特徴とする請求項１に記載の画像形成装置。
【請求項８】
前記感光体の表面電位に関する値を検出する前記検出部と、
前記感光体に電圧を印加する前記電圧印加部と、
前記電圧印加部が電圧を印加するとき、前記感光体に流れる電流の電流値を検出する電流検出部と、
前記感光体の表面電位に関する値として、前記電流検出部が検出した電流値を使い、前記発光部材が異常状態であるか、もしくは前記感光体の表面電位が、前記電圧印加部が印加した電圧値と前記電流検出部が検出した電流値に基づいて算出されたかどうかを判定する前記判定部と、
を有することを特徴とする請求項１又は２に記載の画像形成装置。
【請求項９】
第１レーザ光を出射する第１出射部と、第２レーザ光を出射する第２出射部とを有し、共通の第１駆動電流の供給により前記第１レーザ光と前記第２レーザ光を出射する第１発光部材と、
第３レーザ光を出射する第３出射部と、第４レーザ光を出射する第４出射部とを有し、共通の第２駆動電流の供給により前記第３レーザ光と前記第４レーザ光を出射する第２発光部材と、
前記第１レーザ光と前記第３レーザ光が照射される感光体と、
前記第２レーザ光と前記第４レーザ光を受光する受光部と、
前記受光部が受光した前記第２レーザ光の光量に基づいて前記感光体に照射される前記第１レーザ光の光量を制御し、前記受光部が受光した前記第４レーザ光の光量に基づいて、前記感光体に照射される前記第３レーザ光の光量を制御する光量制御部と、
前記感光体の前記第１レーザ光が照射された部分の第１表面電位に関する値と、前記感
光体の前記第３レーザ光が照射された部分の第２表面電位に関する値を検出する検出部と、
前記発光部材の異常を判定する判定部と、
を有し、
前記判定部は前記検出部により検出された前記第１表面電位に関する値又は前記第２表面電位に関する値のうちの一方のみが第１所定値以上である場合、前記発光部材が異常状態であると判定し、前記検出部により検出された前記第１表面電位に関する値又は前記第２表面電位に関する値のうちの一方のみが第２所定値以下である場合、前記発光部材が異常状態であると判定することを特徴とする画像形成装置。
【請求項１０】
前記感光体に電圧を印加する電圧印加部と、
前記判定部が前記第１〜第４出射部のいずれかが異常状態であることを判定した場合であって、
前記検出部により検出された前記電圧印加部により電圧が印加された前記感光体の表面電位に関する値が第２所定範囲外の値である場合、前記電圧印加部が異常状態であると報知し、
前記検出部により検出された前記電圧印加部により電圧が印加された前記感光体の表面電位に関する値が第２所定範囲内の値である場合、前記発光部材が異常状態であると報知する報知部と、
を有することを特徴とする請求項９に記載の画像形成装置。
【請求項１１】
前記第１所定値と前記第２所定値を予め記憶する記憶部を有することを特徴とする請求項９又は１０に記載の画像形成装置。
【請求項１２】
前記検出部は、前記電圧印加部により前記感光体に電圧が印加された際に流れる電流の電流値に基づいて、前記感光体の表面電位に関する値として前記感光体の放電開始電圧を算出し、算出された前記放電開始電圧に基づいて前記感光体の表面電位を検出することを特徴とする請求項１又は１０に記載の画像形成装置。
【手続補正２】
【補正対象書類名】明細書
【補正対象項目名】０００６
【補正方法】変更
【補正の内容】
【０００６】
上記目的を達成するため、本発明に係る画像形成装置は、
駆動電流を供給されて第１レーザ光を出射する第１出射部を備える発光部材と、
前記第１レーザ光が照射される感光体と、
前記感光体の表面電位に関する値を検出する検出部と、
前記発光部材の異常を判定する判定部と、
前記感光体に電圧を印加する電圧印加部と、
前記検出部により検出された前記第１レーザ光が照射された前記感光体の表面電位に関する値が第１所定範囲外の値であって、前記検出部により検出された前記電圧印加部により電圧が印加された前記感光体の表面電位に関する値が第２所定範囲外の値である場合、前記電圧印加部が異常状態であると報知し、
前記検出部により検出された前記第１レーザ光が照射された前記感光体の表面電位に関する値が前記第１所定範囲外の値であって、前記検出部により検出された前記電圧印加部により電圧が印加された前記感光体の表面電位に関する値が前記第２所定範囲内の値であって、前記判定部が前記発光部材は異常状態であると判定しない場合、前記発光部材以外の光学部品が異常状態であると報知し、
前記検出部により検出された前記第１レーザ光が照射された前記感光体の表面電位に関
する値が前記第１所定範囲外の値であって、前記検出部により検出された前記電圧印加部により電圧が印加された前記感光体の表面電位に関する値が前記第２所定範囲内の値であり、前記判定部が前記発光部材は異常状態であると判定する場合、前記発光部材が異常状態であると報知する報知部と、
を有し、
前記検出部は、前記感光体の前記第１レーザ光が照射された部分の表面電位に関する値を複数回検出し、前記判定部は、前記検出部で検出した前記表面電位に関する値の変化量に基づいて前記発光部材が異常状態であるかを判定することを特徴とする。 
【手続補正３】
【補正対象書類名】明細書
【補正対象項目名】０００７
【補正方法】変更
【補正の内容】
【０００７】
また、上記目的を達成するため、本発明に係る画像形成装置は、
第１レーザ光を出射する第１出射部と、第２レーザ光を出射する第２出射部とを有し、共通の第１駆動電流の供給により前記第１レーザ光と前記第２レーザ光を出射する第１発光部材と、
第３レーザ光を出射する第３出射部と、第４レーザ光を出射する第４出射部とを有し、共通の第２駆動電流の供給により前記第３レーザ光と前記第４レーザ光を出射する第２発光部材と、
前記第１レーザ光と前記第３レーザ光が照射される感光体と、
前記第２レーザ光と前記第４レーザ光を受光する受光部と、
前記受光部が受光した前記第２レーザ光の光量に基づいて前記感光体に照射される前記第１レーザ光の光量を制御し、前記受光部が受光した前記第４レーザ光の光量に基づいて、前記感光体に照射される前記第３レーザ光の光量を制御する光量制御部と、
前記感光体の前記第１レーザ光が照射された部分の第１表面電位に関する値と、前記感光体の前記第３レーザ光が照射された部分の第２表面電位に関する値を検出する検出部と、
前記発光部材の異常を判定する判定部と、
を有し、
前記判定部は前記検出部により検出された前記第１表面電位に関する値又は前記第２表面電位に関する値のうちの一方のみが第１所定値以上である場合、前記発光部材が異常状態であると判定し、前記検出部により検出された前記第１表面電位に関する値又は前記第２表面電位に関する値のうちの一方のみが第２所定値以下である場合、前記発光部材が異常状態であると判定することを特徴とする。